(57)【特許請求の範囲】
【請求項１】
ユーザ機器ＵＥであって、
プロセッサと、
実行されるときに、ＵＥに、
ＲＡＮパラメータと呼ばれる、ＲＡＮとＷＬＡＮアクセスネットワークとの間のトラフィックステアリングに関連する閾値パラメータが適用されるＵＥのグループのインジケーションを無線アクセスネットワークＲＡＮから受信させ、
前記ＵＥが前記インジケーションに合致する場合、前記ＲＡＮパラメータを適用させる、
命令を記憶したメモリとを備えた、ユーザ機器ＵＥ。
【請求項２】
前記命令は、実行されるときに、ＵＥに、
ＡＮＤＳＦポリシーの一部として前記ＲＡＮパラメータを適用させる、請求項１に記載のユーザ機器ＵＥ。
【請求項３】
前記命令は、実行されるときに、ＵＥに、
受信したインジケーションが、ＡＮＤＳＦポリシーにおいてＵＥが属するＵＥグループ値に合致する場合、ＡＮＤＳＦポリシーの一部として前記ＲＡＮパラメータを適用させる、請求項１または２に記載のユーザ機器ＵＥ。
【請求項４】
前記インジケーションが、加入者プロファイルに関連している、請求項１から３のいずれか一項に記載のユーザ機器ＵＥ。
【請求項５】
ユーザ機器ＵＥによって実行される方法であって、
ＲＡＮパラメータと呼ばれる、ＲＡＮとＷＬＡＮアクセスネットワークとの間のトラフィックステアリングに関連する閾値パラメータが適用されるＵＥのグループのインジケーションを無線アクセスネットワークＲＡＮから受信することと、
前記ＵＥが前記インジケーションに合致する場合、前記ＲＡＮパラメータを適用することとを含む方法。
【請求項６】
前記ＲＡＮパラメータを適用することは、ＡＮＤＳＦポリシーの一部として前記ＲＡＮパラメータを適用することを含む、請求項５に記載の方法。
【請求項７】
前記ＲＡＮパラメータを適用することは、受信したインジケーションが、ＡＮＤＳＦポリシーにおいてＵＥが属するＵＥグループ値に合致する場合、ＡＮＤＳＦポリシーの一部として前記ＲＡＮパラメータを適用することを含む、請求項５または６に記載の方法。
【請求項８】
前記インジケーションが、加入者プロファイルに関連している、請求項５から７のいずれか一項に記載の方法。
【請求項９】
無線アクセスネットワークＲＡＮノードであって、
プロセッサと、
実行されるときに、ＲＡＮノードに、
ＲＡＮパラメータと呼ばれる、ＲＡＮとＷＬＡＮアクセスネットワークとの間のトラフィックステアリングに関連する閾値パラメータが適用されるユーザ機器ＵＥのグループのインジケーションを、ＵＥに送信させる命令を記憶したメモリとを備えた、ＲＡＮノード。
【請求項１０】
前記命令は、実行されるときに、ＲＡＮノードに、
前記インジケーションを前記ＵＥへブロードキャストさせる、請求項９に記載のＲＡＮノード。
【請求項１１】
前記インジケーションが、加入者プロファイルに関連している、請求項９または１０に記載のＲＡＮノード。
【請求項１２】
無線アクセスネットワークＲＡＮノードによって実行される方法であって、
ＲＡＮパラメータと呼ばれる、ＲＡＮとＷＬＡＮアクセスネットワークとの間のトラフィックステアリングに関連する閾値パラメータが適用されるユーザ機器ＵＥのグループのインジケーションを、ＵＥに送信することを含む、方法。
【請求項１３】
前記送信することは、前記インジケーションを前記ＵＥにブロードキャストすることを含む、請求項１２に記載の方法。
【請求項１４】
前記インジケーションが、加入者プロファイルに関連している、請求項１２または１３に記載の方法。
【発明の詳細な説明】
【技術分野】
【０００１】
開示される実施形態は、一般にワイヤレスネットワーク通信に関し、より詳細には、異種ワイヤレス通信ネットワークにおける負荷バランスに関する。
【背景技術】
【０００２】
ユーザ機器（ＵＥ：ｕｓｅｒ  ｅｑｕｉｐｍｅｎｔ）としても知られている、ラップトップ、タブレット、スマートフォンなどのユーザ通信装置は、通常、ＬＴＥ、ＣＤＭＡなどのようなＷＩＦＩおよびセルラワイヤレス技術などの複数のワイヤレス技術をサポートする。３ＧＰＰ、３ＧＰＰ２などの標準プロトコルは、ユーザ機器がコンポーネントアクセス技術をそれによって選択することができる制御プロトコルを定義する。
【０００３】
ＷＩＦＩ、ＷｉＭＡＸなどのワイヤレスＬＡＮ（ＷＬＡＮ）技術は益々普及している。これらのサービスは、３ＧＰＰオペレータなど、ワイヤレスセルオペレータと同じオペレータによって提供されることもあれば、異なるオペレータによって提供されることもある。負荷に応じて、ネットワークは、一部のＵＥのある特定のトラフィック（たとえばＰＤＮ接続のトラフィック、ベアラのトラフィック、およびＩＰフローのトラフィック）をたとえばＷｉＦｉへ振り向けることができるが、一部のＵＥのトラフィックをネットワーク内に保持することもできる。これは、通常、ネットワークセルの信号強度を基準にして行われる。セルの負荷が軽いとき、ネットワークは、たとえば、セルエッジのＵＥのみＷｉＦｉに振り向けることを図り、一方で、セル中央のＵＥはネットワークセルを使用することができるようなトラフィックステアリング信号強度閾値を設定することができる。
【０００４】
３ＧＰＰ規格は、モバイルデバイスが、どのアクセスネットワークに接続すべきか（ネットワーク選択およびシステム間モビリティポリシー：Ｎｅｔｗｏｒｋ  Ｓｅｌｅｃｔｉｏｎ  ａｎｄ  Ｉｎｔｅｒ  Ｓｙｓｔｅｍ  Ｍｏｂｉｌｉｔｙ  Ｐｏｌｉｃｙ）、またはどのネットワークに特有のＩＰフローを送るべきか（システム間ルーティングポリシー：Ｉｎｔｅｒ  Ｓｙｓｔｅｍ  Ｒｏｕｔｉｎｇ  Ｐｏｌｉｃｙ）をそれによって識別するアクセスネットワーク発見選択（ＡＮＤＳＦ：Ａｃｃｅｓｓ  Ｎｅｔｗｏｒｋ  Ｄｉｓｃｏｖｅｒｙ  ａｎｄ  Ｓｅｌｅｃｔｉｏｎ）方式を定義する。ＡＮＤＳＦが使用されるとき、ＡＮＤＳＦルールはＵＥ特有であり、したがって、信号強度閾値は、たとえば加入者プロファイルに応じて様々に設定され得る。ただし、ＲＡＮルールまたはＲＡＮコマンドが適用されると、そのようなスキームは全てのＵＥを同様に扱い、その結果、それらルールは全てのＵＥによって固守される。
【発明の概要】
【課題を解決するための手段】
【０００５】
一例によれば、選択されたユーザ機器（ＵＥ）デバイスからのデータフローの負荷分散を行う方法であって、少なくとも１つのＵＥグループに関連付けられ、プリアサインされた無線アクセスネットワーク選択および無線トラフィックステアリング権を有するＵＥデバイスにおいて、ＵＥグループ特有の無線関連パラメータを受信するステップであって、パラメータが、作動条件を示す条件情報を表し、ＵＥグループインジケーションおよびそれに付随するＵＥグループ優先度を含む、受信するステップと、ＵＥにおいて、受信されたパラメータのＵＥグループインジケーションに基づいてＵＥグループ特有のパラメータを適用するか否かを決定するステップとを含む、負荷分散を行う方法が提供される。
【０００６】
ＵＥグループ特有のパラメータを適用するか否かを決定するステップは、受信されたパラメータのグループインジケーションに付随するＵＥグループ優先度を考慮するステップを含むことができる。方法は、決定に基づいて、ＵＥグループ特有のパラメータを適用するステップと、適用されたパラメータに基づいてＵＥデータフローをオフロードするステップとをさらに含む。方法は、決定に基づいて、受信されたパラメータのグループインジケーションに付随するＵＥグループ優先度が、ＵＥグループ特有のパラメータがＵＥの現在のパラメータより高いレベルの優先度にあることを示す場合、ＵＥグループ特有のパラメータを適用するステップをさらに含むことができる。データフローは、第１のノードによって扱われるマクロセルの境界内のスモールセルによって扱われるＷｉＦｉアクセスポイントへオフロードされ得る。ＵＥデバイスは、それぞれ異なる優先度を有する複数のグループに関連付けられ得、ＵＥグループ特有のパラメータを適用するステップは、最高優先度のＵＥグループのパラメータを適用するステップを含む。ＵＥは、加入者プロファイルに基づいて１つまたは複数のそれぞれのＵＥグループにプリアサインされ得る。ＵＥグループ特有のパラメータを適用するか否か決定するステップは、ＵＥの無線サイド（アクセス層）で実行され得る。ＵＥグループ特有のパラメータを適用するか否か決定するステップが、ＵＥの非無線サイド（非アクセス層）で実行され得る。
【０００７】
一例によれば、作動条件を示す条件情報を表し、ＵＥグループインジケーションおよびそれに付随するＵＥグループ優先度を含むＵＥグループ特有の無線関連パラメータを包含するネットワーク向け信号をブロードキャストするように作動可能なノードと、少なくとも１つのＵＥグループに関連付けられ、プリアサインされた無線アクセスネットワーク選択および無線トラフィックステアリング権を有するＵＥデバイスであって、ブロードキャスト信号を受信し、受信されたパラメータのＵＥグループインジケーションに基づいて、ＵＥグループ特有のパラメータを適用するか否かを決定するように作動可能なＵＥデバイスとを備える、通信アクセスネットワークが提供される。ＵＥは、受信されたパラメータのグループインジケーションに付随するＵＥグループ優先度を考慮することによって、ＵＥグループ特有のパラメータを適用するか否かを決定するように作動可能であり得る。受信されたパラメータのグループインジケーションに付随するＵＥグループ優先度が、ＵＥグループ特有のパラメータがＵＥの現在のパラメータより高いレベルの優先度にあることを示す場合に、ＵＥは、ＵＥグループ特有のパラメータを適用するように作動可能であり得る。
【０００８】
一例によれば、少なくとも１つのＵＥグループに関連付けられ、プリアサインされた無線アクセスネットワーク選択および無線トラフィックステアリング権を有するＵＥデバイスであって、通信アクセスネットワークのノードによって送信されたＵＥグループ特有のパラメータを適用するか否かを、受信されたパラメータのＵＥグループインジケーションに基づいて決定するように作動可能である、ＵＥデバイスが提供される。受信されたパラメータのグループインジケーションに付随するＵＥグループ優先度が、ＵＥグループ特有のパラメータがＵＥの現在のパラメータより高いレベルの優先度にあることを示す場合に、ＵＥは、ＵＥグループ特有のパラメータを適用するように作動可能であり得る。
【０００９】
一例によれば、コンピュータ可読プログラムコードがその中に組み込まれたコンピュータ使用可能媒体を備えるコンピュータプログラム製品であって、前記コンピュータ可読プログラムコードが、本明細書に記載の選択されたユーザ機器（ＵＥ）デバイスからのデータフローの負荷分散を行う方法を実施するために実行されるように構成されている、コンピュータプログラム製品が提供される。
【００１０】
ここで、実施形態が、単に例として、添付図面を参照して説明される。
【図面の簡単な説明】
【００１１】
【図１】一例によるワイヤレス通信システムの概略図である。
【図２】一例によるＡＮＤＳＦにおけるトラフィックステアリングポリシーに適用され得るＵＥグループインジケーションに関するパラメータのセットを示すポリシーツリーの概略図である。
【図３】一例によるポリシーに含まれるＵＥグループインジケーションに関するパラメータのセットを示すポリシーツリーの概略図である。
【図４】一例による、図３を参照して言及されたパラメータの位置から下がったレベルでポリシーに含まれるＵＥグループインジケーションに関するパラメータのセットを示すポリシーツリーの概略図である。
【発明を実施するための形態】
【００１２】
例示的実施形態が、本明細書に記載のシステムおよびプロセスを具体化および実行することを当業者に可能にするのに十分な詳しさで以下に説明される。実施形態は、多数の代替形態で示され得、本明細書で言及される例に限定されると解釈されるべきでないことを理解することが重要である。
【００１３】
したがって、実施形態は、様々な形で変更され得、様々な代替形態を取ることができるが、それらの特定の実施形態が、図面に示され、以下に例として詳細に説明される。開示される特定の形態に限定する意図はない。逆に、添付特許請求の範囲に包含される全ての変更、均等物、および代替物が含められるべきである。例示的実施形態の諸要素は、妥当な限り、図面および詳細な説明を通して一貫して同じ参照番号によって示される。
【００１４】
実施形態を説明するために本明細書で使用される用語は、範囲を限定するように意図されてはいない。冠詞「ａ」、「ａｎ」、および「ｔｈｅ」は、単一の指示対象を有するという点で単数であるが、本文書では単数形を使用することにより、複数の指示対象が存在することを排除すべきではない。言い換えれば、単数で言及される要素は、文脈がそうでない場合を明瞭に示さない限り、１つまたは複数の数であり得る。用語「備える」、「備えている」、「含む」、および／または「含んでいる」は、本明細書で使用されるとき、言及された特徴、項目、ステップ、作動、要素、および／またはコンポーネントの存在を明示するが、１つまたは複数の他の特徴、項目、ステップ、作動、要素、コンポーネント、および／またはそれらのグループがそれに加わること、または存在することを排除しないことをさらに理解されたい。
【００１５】
別途定義されない限り、本明細書に使用される全ての用語（技術および科学用語を含めて）は、当技術分野での通例通りに解釈されるべきである。一般に使用される用語もまた、関連技術分野での通例通りに解釈されるべきであり、本明細書に明白にそのように定義されていない限り、観念的または過度に形式的意味に解釈されるべきでないことを理解されたい。
【００１６】
一部の配備では、オペレータは、一部の加入者プロファイル特性に応じて優先処理を与えたいと望むことがある。これらの場合には、ＡＮＤＳＦによって用意される信号強度の閾値をＵＥに使用させる以外に、オペレータは、加入者および／またはＵＥのあるグループ分け（たとえば、金／銀／銅加入者、ＵＭＴＳにおける特定のアクセスサービスクラスを有する加入者、特定のＵＥアクセスクラスを有する加入者、ＭＴＣデバイスとして使用されるＵＥなど）に応じるＲＡＮベースの信号強度閾値によって、ＡＮＤＳＦ閾値を置き換えたいと望むことがある。１つまたは複数のＲＡＮパラメータを使用する加入者／ＵＥのグループを制御する機構をオペレータに提供するために、ＲＡＮパラメータの特定のセットを使用すべき加入者／ＵＥのグループをＵＥに示すためのインジケーションが、３ＧＰＰ  ＲＡＮによってＵＥに送られ得る。加入者／ＵＥの各グループは、異なるセットのＲＡＮパラメータを要求することができる。また、ＲＡＮは、様々なグループのトラフィックステアリングを制御するために、同時に複数セットのＲＡＮパラメータを提供することができる。
【００１７】
ＵＥがインジケーションに適合し、トラフィックステアリングおよびＷＬＡＮ選択がＵＥの無線サイド／アクセス層にある場合、ＵＥは、ＲＡＮルールの一部としてＲＡＮパラメータを適用することができる（たとえば、特定のトラフィックをＷｉＦｉに導くためにＲＳＲＰ／ＲＳＣＰ閾値がＲＡＮクライテリアに適用されまたはその逆が行われ、ＷＬＡＮ負荷閾値がＲＡＮクライテリアに適用されてＷＬＡＮを選択する）。同様に、トラフィックステアリングおよびＷＬＡＮ選択がＵＥの上位層／非アクセス層で実行される（すなわちＡＮＤＳＦ）場合については、ＵＥ  ＡＮＤＳＦポリシー／ルールがインジケーションに合致すれば、ＵＥは、ＡＮＤＳＦポリシー／ルールの一部としてＲＡＮパラメータを適用する（たとえば、ＡＮＤＳＦルールの閾値をＲＡＮによって送られた閾値と置き換えることによって）ことができる。
【００１８】
一例によれば、ＷＬＡＮネットワーク選択および３ＧＰＰ−ＷＬＡＮトラフィックステアリングに関するＲＡＮパラメータは、ＵＥのあるグループのみによって使用される。したがって、第１の無線アクセスネットワーク（たとえばセルラアクセスネットワークなど）のノードと第２の無線アクセスネットワーク（たとえばＷｉＦｉネットワークなど）のノードとの間で、選択されたＵＥからのデータフローの負荷分散が行われ得る。ＵＥデバイスの諸グループは、したがって、異なる条件の下に作動することができる。すなわち、異なるセットのＲＡＮパラメータが、異なるグループのＵＥによって使用され得る。
【００１９】
グループ分けは、たとえば加入者プロファイル（「ＵＥサブスクリプション」とも呼ばれる）、および／または、ＵＭＴＳにおけるアクセスサービスクラス、ＵＥアクセスクラス（ＳＩＭまたはＵＳＩＭによる）、遅延許容度などのような他のＵＥ特有のパラメータに基づき得る。したがって、ＲＡＮは、同時に様々なグループのＵＥが使用できるように、様々なセットのＲＡＮパラメータを提供することができる。一例として、ＵＥは複数のグループに属することができる。したがって、ＵＥがＲＡＮパラメータの最も適切なセットを選択することができるように、ＵＥグループ優先度が、ＵＥのグループに関連するＲＡＮパラメータのセットに加えられ得る。
【００２０】
一例によれば、ＵＥは、プリアサインされた無線アクセスネットワーク選択および無線トラフィックステアリング権を有し、その選択およびステアリング権が、ＵＥが属する１つまたは複数のグループのインジケーションを定め、その結果、ＵＥに対してまたＵＥによって特定のＲＡＮパラメータが適用されることが可能になる。たとえば、ＵＥグループインジケーションは、直接加入者プロファイルに関係し得る。すなわち、インジケーションの各列挙が、たとえば銅ユーザ、銀ユーザ、および金ユーザを表し、それぞれが異なるオフロード権を有する。他の列挙またはナンバリングも加入者プロファイルに対して使用され得る。たとえば、ＵＥグループインジケーションは、ＵＭＴＳにおける既存のアクセスサービスクラス、ＵＥクラスなどに基づき得る。
【００２１】
ＵＥが、ＲＡＮパラメータのブロードキャストセットを受信すると、ＵＥは、ＵＥグループインジケーションおよびそれに付随するＵＥグループ優先度に基づいて、そのＵＥグループ特有のＲＡＮパラメータを適用するか否かを決定することができる。この決定は、ＵＥの無線サイド（すなわちアクセス層）またはＵＥの上位層（すなわち非アクセス層）で行われ得る。一例では、前者は、トラフィックステアリングおよびＷＬＡＮ選択の決定がＵＥのアクセス層で行われる場合に使用される。後者は、トラフィックステアリングおよびＷＬＡＮ選択の決定がＵＥの非アクセス層で行われる場合に使用される。決定がＵＥの非アクセス層で行われる場合、アクセス層は、全てのＲＡＮパラメータ、ＵＥグループインジケーションおよびそれに付随するＵＥグループ優先度をＵＥの上位層へ転送することができる。トラフィックステアリングおよびＷＬＡＮ選択についての非アクセス層での決定はＡＮＤＳＦによって行われる。
【００２２】
したがって、少なくとも１つのＵＥグループに関連付けられ、プリアサインされた無線アクセスネットワーク選択および無線トラフィックステアリング権を有するＵＥは、ＵＥグループ特有の無線関連パラメータを無線アクセスネットワークから受け取る。ＲＡＮパラメータは、ネットワークの作動条件を示す条件情報を表し、ＵＥグループインジケーションおよびそれに付随するＵＥグループ優先度を表すデータを含む。すなわち、ＲＡＮパラメータは、ＲＡＮパラメータが対象とするまたは適用されるＵＥのグループを示すデータを含む。ＲＡＮパラメータは、たとえば作動のアイドルおよび／またはビジーモードに関するネットワークパラメータを含み、また通常、知られているようなセル選択パラメータ、セル再選択パラメータ、位置アップデートパラメータ、ページングパラメータなどを含む。一例によれば、パラメータはまた、ＵＥグループインジケーションおよびそれに付随するＵＥグループ優先度を表すデータを含む。
【００２３】
ネットワークによってブロードキャストされたＲＡＮパラメータを受信するＵＥは、受信されたパラメータのＵＥグループインジケーションおよびそれに付随するＵＥグループ優先度に基づいて、それらＲＡＮパラメータを適用するか否かを決定する。たとえば、ＵＥは、ＵＥグループインジケーションおよびそれに付随するＵＥグループ優先度を表すデータから、そのＵＥがＲＡＮパラメータを適用すべきか否かを、そのＵＥが示されたグループのメンバーか否か、かつ／またはグループ優先度が、ＲＡＮパラメータの現在のセットが当該ＵＥにとってもはや有効でないことを意味していないか否かに基づいて決定することができる。その決定に基づいて、ＵＥは、ＵＥグループ特有のパラメータを適用することができ、パラメータがＵＥに対してそれを有効にする場合、スモールセルによって機能するＷｉＦｉアクセスポイントなど、第２の無線アクセスネットワークへデータフローをオフロードすることができる。
【００２４】
図１は、一例によるワイヤレス通信システムの概略図である。システム１００は、ノード１０３によって扱われる第１のアクセスネットワークと、たとえば第１のアクセスネットワークのノード１０３のサービス提供領域１０１内のスモールセル１５０を形成する低出力ノードなど、ノード１０５によって扱われる第２のアクセスネットワークとを備える。第１のアクセスネットワークは、たとえばセルラネットワーク（無線アクセスネットワーク）であり得、第２のアクセスネットワークは、たとえばＷｉＦｉネットワークであり得る。複数のそのようなノード１０３、１０５がシステム１００の一部として設けられ得るが、明快化のために、２つだけのそのようなノードがセル領域１０１内で作動しているところが示されている。複数のＵＥ１０７ａ−ｆが領域１０１内で作動する。ＵＥは、それらグループの無線アクセスネットワーク選択および無線トラフィックステアリング権を指示する様々なグループにプリアサインされている。グループ１０９、１１１、および１１３が描かれている。たとえば、ＵＥ１０７ａ−ｃは、グループ１０９のメンバーとしてプリアサインされ得る。ＵＥ１０７ｂ、１０７ｄ、および１０７ｅは、グループ１１１のメンバーになるようにプリアサインされ得（したがってＵＥ１０７ｂは複数のグループのメンバーになることに注意）、ＵＥ１０７ｆは、グループ１１３の唯一のメンバーである。したがって、１つのグループが１つまたは複数のＵＥを含み得る。
【００２５】
ＲＡＮパラメータブロードキャスト１１７が、ノード１０３によって領域１０１内のＵＥへ送信され得る。それによって、ＵＥ１０７ａ−ｆがメッセージ１１７を受信する。ＲＡＮパラメータメッセージは、そのＲＡＮパラメータが対象とするまたは適用されるＵＥのグループを示すデータを含む。図１の例では、ブロードキャストはグループ１１３内のＵＥを対象とし、それはこの例ではＵＥ１０７ｆに対応する。この例では、ＲＡＮパラメータは、ＵＥ１０７ｆにデータフロー１１５をノード１０５へオフロードさせようとするものである。ただし、領域１０１内の他のＵＥはグループ１１３のメンバーではないので、それらＵＥはブロードキャストされたＲＡＮパラメータを適用せず、以前通りに作動する。したがって、第１のアクセスネットワークのノード１０３によってブロードキャストされたＲＡＮパラメータを受信したＵＥ１０７ｆは、受信されたパラメータのＵＥグループインジケーションおよびそれに付随するＵＥグループ優先度に基づいて、それらＲＡＮパラメータを適用するか否かを決定する。
【００２６】
一例によれば、ＵＥが属するグループのリストは、トラフィックステアリングポリシー（ＡＮＤＳＦ内）のトップレベルに設けられ得、それゆえ全てのトラフィックステアリングポリシーに共通である。したがって、ＲＡＮがあるＵＥへあるＵＥグループインジケーションを送信し、そのＵＥインジケーション値がそのＵＥが属するグループの１つに合致する場合、最高優先度のＵＥグループのＲＡＮパラメータが、トラフィックステアリングポリシーにおいて適用され得る。
【００２７】
この点について、図２は、ＡＮＤＳＦにおけるトラフィックステアリングポリシーに適用され得るＵＥグループインジケーションに関するパラメータのセットを示すポリシーツリーの概略図である。システム間ルーティングポリシー（ＩＳＲＰ：Ｉｎｔｅｒ−ｓｙｓｔｅｍ  Ｒｏｕｔｉｎｇ  Ｐｏｌｉｃｙ）が、３ＧＰＰと他の非３ＧＰＰアクセスポイント／ノード（たとえばＷｉＦｉアクセスポイントなど）との間のトラフィックステアリングについてのルールを提供する。ＩＳＲＰ１９９内には、ＦｌｏｗＢａｓｅｄ２０１（すなわちＩＰフローに基づくポリシー）、ＳｅｒｖｉｃｅＢａｓｅｄ２０３（すなわちＡＰＮ−アクセスポイント名（ａｃｃｅｓｓ  ｐｏｉｎｔ  ｎａｍｅ）に基づくポリシー）、ＮｏｎＳｅａｍｌｅｓｓＯｆｌｌｏａｄ２０５（ＩＰフローに基づく別のポリシー）の諸ポリシーがある。ＵＥのＵＥグループのリスト２００はこのレベルにあり得、使用されるポリシーから独立し得る。
【００２８】
ＵＥが属するグループのリストは、ポリシーに埋め込まれ得る（たとえばＭＡＰＣＯＮポリシーを使用することによる。その埋込はＮＳＷＯまたはＩＦＯＭポリシーにも同様に適用される）。したがって、ＲＡＮがＵＥグループインジケーションを送信し、ＵＥグループインジケーション値が、そのポリシーにおけるＵＥが属するグループのリスト内の値の１つに合致する場合、そのＲＡＮパラメータがそのポリシーに適用され得る。
【００２９】
この点について、図３は、ポリシーに含まれるＵＥグループインジケーションに関するパラメータのセット３０１を示すポリシーツリーの概略図である。すなわち、ＵＥグループインジケーションをポリシーから独立させる代わりに、ＵＥグループインジケーションがポリシーに含まれ得る。図３の場合には、ＵＥグループインジケーションがＳｅｒｖｉｃｅＢａｓｅｄポリシー３００に含まれる。
【００３０】
ＵＥが属するグループのリストが、ポリシーの各ルールに埋め込まれ得る。それにより、ＲＡＮがＵＥグループインジケーションを送信し、そのＵＥグループインジケーション値が、ルールにおけるＵＥが属するグループのリスト内の値の１つに合致する場合、最高優先度のＵＥグループのＲＡＮパラメータが、ＡＰＮまたはＩＰフローに関連するルールに適用され得る。同じ原理が、ＷＬＡＮＳＰ（ＷＬＡＮ選択ポリシー：ＷＬＡＮ  ｓｅｌｅｃｔｉｏｎ  ｐｏｌｉｃｙ）に適用され得る。ＡＮＤＳＦにおいてＵＥが属するグループのリストを考慮に入れる別の方式も排除されない（ｒｏｕｔｉｎｇＣｒｉｔｅｒｉａまたはｒｏｕｔｉｎｇＲｕｌｅｓの一部等など）。
【００３１】
この点について、図４は、図３を参照して言及されたパラメータの位置から下がったレベルでポリシーに含まれるＵＥグループインジケーションに関するパラメータのセット４００を示すポリシーツリーの概略図である。
【００３２】
本発明は、他の特定の装置および／または方法で実施され得る。説明された実施形態は、全ての点において例示的であり限定的ではないと考えられるべきである。特に、本発明の範囲は、本明細書の説明および図によってではなく、添付特許請求の範囲によって示される。特許請求の範囲に同等な意味および範囲に収まる全ての変更は、特許請求の範囲に包含されるものとする。
【図１】
0006400718.tif 000002
【図２】
0006400718.tif 000003
【図３】
0006400718.tif 000004
【図４】
0006400718.tif 000005